(57)【特許請求の範囲】
【請求項１】
電気出力対象が存在する複数本の駆動配線と電気出力対象が存在しない少なくとも１本のダミー配線を有する配線基板であって、前記駆動配線の少なくとも接続端子部が印加される電圧の電位の高い順にまたは低い順に並列に配置され、前記ダミー配線は少なくとも端子部が前記駆動配線の接続端子部間に並列に配置されるとともに電位が両隣の駆動配線に印加される電圧の電位よりも高い電圧が印加されるダミー配線であることを特徴とする配線基板。
【発明の詳細な説明】
【０００１】
【発明の属する技術分野】
この発明は、液晶表示装置等の電子機器における配線基板の構造に関する。
【０００２】
【従来の技術】
例えば、液晶表示装置には、図２に示すようなものがある。この液晶表示装置は液晶表示パネル１を備えている。液晶表示パネル１は、ガラス等からなる２枚の透明な基板２、３間に液晶（図示せず）が封入された構造となっている。この場合、下側の基板２の右辺部及び下辺部は上側の基板３から突出され、これらの突出部２ａ、２ｂの上面の各所定の箇所にはゲートドライバ用の半導体チップ４及びデータドライバ用の半導体チップ５が搭載されている。また、下側の基板２の下辺右端部の上面には入力配線用としてのフレキシブル配線基板６の一端部が異方導電性接着剤７を介して接合されている。そして、一方の突出部２ａの上面において、半導体チップ４が搭載された領域とフレキシブル配線基板６の一端部が接合された領域との間には、複数の配線（駆動配線）８が設けられている。また、他方の突出部２ｂの上面において、半導体チップ５が搭載された領域とフレキシブル配線基板６の一端部が接合された領域との間には、複数の配線（駆動配線）９が設けられている。さらに、配線８と配線９との間には上側の基板３に設けられている共通電極に接続された配線（駆動配線）１０が設けられている。また、フレキシブル配線基板６の下面には、配線８〜１０に対応して、複数の入力配線１１が設けられている。そして、配線８〜１０を含む突出部２ａ、２ｂの上面であって、フレキシブル配線基板６の一端部が接合された部分を除く部分には、オーバーコート膜１２が設けられている。
【０００３】
次に、フレキシブル配線基板６の一端部の接合部分の詳細について、図３（Ａ）及び（Ｂ）を参照して説明する。なお、図３（Ａ）では、ゲートドライバ（半導体チップ４）用の配線８のみを図示している。この場合、ゲートドライバ用の配線８は、アルミニウム合金によって形成され、下側の基板２の上面の所定の箇所に並列された５本の配線８からなっている。また、この５本の配線８に対応して、フレキシブル配線基板６の下面の所定の箇所には銅からなる５本の入力配線１１が並列に設けられている。そして、下側の基板２の配線８の接続端子８ａとフレキシブル配線基板６の入力配線１１の接続端子１１ａとは異方導電性接着剤７を介して接合されている。この場合、異方導電性接着剤７がフレキシブル配線基板６の一端部から突出しているのは、下側の基板２とフレキシブル配線基板６との接合強度を十分とするために、下側の基板２とフレキシブル配線基板６との間に異方導電性接着剤７をやや多めに介在させるからである。
【０００４】
そして、５本の配線８、１１には、図３（Ａ）において左から順にそれぞれクロック信号ＶCLK、電源電圧ＶDD、ゲートオフレベルＶGL、ゲートオンレベルＶGH、接地電圧ＶGNDが印加されるようになっている。この場合、５本の配線８、１１にそれぞれ印加される電圧の電位について見ると、次のように、
ＶGH＞ＶDD＞ＶCLK＞ＶGND＞＞ＶGL
と、ゲートオンレベルＶGHが最も高く、電源電圧ＶDD、クロック信号ＶCLK、接地電圧ＶGND、ゲートオフレベルＶGLの順に低くなっている。
【０００５】
【発明が解決しようとする課題】
ところで、従来のこのような液晶表示装置では、下側の基板２とフレキシブル配線基板６とを異方導電性接着剤７を介して接合する場合、熱圧着により行っている。この熱圧着の際に、異方導電性接着剤の一部分がフレキシブル配線基板６の一端部から外部へ溶け出すように押し出されて固化する。この押し出された異方導電性接着剤７には圧力が掛かっていないため、オーバーコート膜１２との密着性が十分でない場合がある。このような場合、空気中の水分が、その押し出された異方導電性接着剤７とオーバーコート膜１２との間の密着性の悪い部分から侵入することがある。また、熱圧着の際に押し出された異方導電性接着剤７はそのペーストの一部分が外部に溶け出して固化したものであるため、不純物イオンを吸着し易い状態となっている。このような現象が生じた場合、隣接する電源電圧ＶDD印加用の配線８とゲートオフレベルＶGL印加用の配線８との間ではそれぞれ印加される電圧に大きな差があるので、この両配線８のうち電圧の高い方の電源電圧ＶDD印加用の配線８の接続端子８ａが、これら接続端子を介して水分や不純物イオンに電界が印加されて起こる電気化学反応の所謂電食作用により腐食・断線することがある。また、同様に、互いに隣接するゲートオフレベルＶGL印加用の配線８とゲートオンレベルＶGH印加用の配線８との間でもそれぞれ印加される電圧に大きな差があるので、この両配線８のうち電圧の高い方のゲートオンレベルＶGH印加用の配線８の接続端子８ａが電食作用により腐食・断線することがあるという問題があった。
この発明の課題は、相隣接する配線にそれぞれ印加される電圧に差があっても、配線が電食作用により腐食・断線しないようにすることである。
【０００６】
【課題を解決するための手段】
上述した課題は、基板上に複数の配線の少なくとも接続端子部が印加される電圧の電位の高い順にまたは低い順に並列に配置した配線基板によって解決される。
また、上述の課題は、電気出力対象が存在する複数本の駆動配線と電気出力対象が存在しない少なくとも１本のダミー配線を有する配線基板であって、前記駆動配線の少なくとも接続端子部が印加される電圧の電位の高い順にまたは低い順に並列に配置され、前記ダミー配線は少なくとも端子部が前記駆動配線の接続端子部間に並列に配置されるとともに電位が両隣の駆動配線に印加される電圧の電位よりも高い電圧が印加されるダミー配線である配線基板によっても、解決される。
【０００７】
この発明によれば、複数の配線を印加される電圧の電位の高い順にまたは低い順に並列しており、これは相隣接する配線にそれぞれ印加される電圧の電位に差があってもこの差が可及的に小さくなる構成であり、したがって相隣接する配線のうち電位の高い方の配線が電食作用を受けるのを防止することができる。
【０００８】
【発明の実施の形態】
図１はこの発明の一実施形態を適用した液晶表示装置の要部を示したものである。この図において、図３（Ａ）と同一名称部分には同一の符号を付し、その説明を適宜省略する。この液晶表示装置では、５本の配線８、１１に左から順にそれぞれゲートオンレベルＶGH、電源電圧ＶDD、クロック信号ＶCLK、接地電圧ＶGND、ゲートオフレベルＶGLが印加されるようになっている。すなわち、５本の配線８、１１にそれぞれ印加される電圧の電位は、次のような関係にあり、
ＶGH＞ＶDD＞ＶCLK＞ＶGND＞＞ＶGL
左側から右側に向かうに従って次第に低くなっている。この場合、ゲートオンレベルＶGHと電源電圧ＶDDとの電位の差、電源電圧ＶDDとクロック信号ＶCLKとの電位の差、及びクロック信号ＶCLKと接地電圧ＶGNDとの電位の差はすべて比較的小さいが、接地電圧ＶGNDとゲートオフレベルＶGLとの電位の差は比較的大きい。そこで、液晶表示パネル１の下側の基板２の上面で、印加される電位に比較的大きな差がある接地電圧ＶGND印加用の配線８とゲートオフレベルＶGL印加用の配線８との間には、アルミニウム合金からなる電気出力対象が存在しないダミー配線２１が設けられ、フレキシブル配線基板６の下面で、接地電圧ＶGND印加用の入力配線１１とゲートオフレベルＶGL印加用の入力配線１１との間には、上記ダミー配線２１に対応させて銅からなるダミー配線２２が設けられている。この場合、ダミー配線２１は配線８の接続端子８ａの部分及びその近傍のみに設けられている。ダミー配線２２は入力配線１１と同様に設けられている。そして、両ダミー配線２１、２２の接続端子２１ａ、２２ａ同士は異方導電性接着剤７を介して接合されている。そして、両ダミー配線２１、２２には、その両側の配線８、１１にそれぞれ印加される電圧のうち高い方の電圧、すなわち接地電圧ＶGNDよりも高いダミー電圧ＶDUMMYが印加されるようになっている。
【０００９】
さて、左側から１本目と２本目の配線８について見ると、それぞれ印加されるゲートオンレベルＶGHと電源電圧ＶDDとの電位の差が比較的小さいので、電位の高い方のゲートオンレベルＶGH印加用の配線８でも電食作用により腐食・断線し難く、また、左側から２本目と３本目の配線８についても、それぞれ印加される電源電圧ＶDDとクロック信号ＶCLKとの電位の差が比較的小さいので、今度は電源電圧ＶDD印加用の配線８が電圧が高くなるが、電食作用を受け難い。また、左側から３本目と４本目の配線８について見ると、この場合もそれぞれ印加されるクロック信号ＶCLKと接地電圧ＶGNDとの電位の差が比較的小さいので、高電位側となるクロック信号ＶCLK印加用の配線８が高電位側となるが、電食作用を受け難くなる。
【００１０】
ところで、左側から４本目と５本目の配線８について見ると、接地電圧ＶGNDとゲートオフレベルＶGLとの電位の差が比較的大きいので、この両配線８のうち電位の高い方の接地電圧ＶGND印加用の配線８が電食作用を受けるおそれがある。しかし、この場合、この両配線８間にダミー配線２１を設け、このダミー配線２１に、当該両配線８にそれぞれ印加される電位のうち高い方の電位、すなわち接地電圧ＶGNDよりも高いダミー電圧ＶDUMMYを印加するので、ダミー配線２１が電食作用を受けることがあっても、当該両配線８は電食作用を受けない。
【００１１】
なお、上記実施形態では複数の配線を印加電圧の電位が高い順に並列に配置し、電位差が大きくなる配線間にダミー配線を配置したが、各配線間の電位差が電食作用を発生させる程大きくならない場合は、ダミー配線を配設しなくてもよい。すなわち、この場合は、電気出力対象の存在する出力配線を印加電圧の高い順あるいは低い順に並列に配置するだけでよい。
また、上記実施形態では、ダミー配線２１、２２に、その両側の配線８、１１にそれぞれ印加される電圧の電位のうち高い方の電位よりも高い電位の電圧を印加する場合について説明したが、これに限定されるものではない。例えば、ダミー配線２１、２２に、その両側の配線８、１１にそれぞれ印加される電圧のうち高い方の電圧よりも低く、かつ低い方の電圧よりも高い電圧を印加するようにしてもよい。ただし、この場合、配線８、１１に印加される電圧のうち高い方の電圧とダミー配線２１、２２に印加される電圧との差は電食作用を受けない程度に小さいものとする必要がある。さらに、ダミー配線２１、２２に、その両側の配線８、１１にそれぞれ印加される電圧のうち高い方の電圧と同電位の電圧を印加するようにしてもよい。加えて、ダミー配線２１、２２に電圧を印加せず、電気的にフローティング状態としてもよい。
【００１２】
また、上記実施形態では、ダミー配線２１、２２を１本設けた場合について説明したが、印加される電圧に大きな差がある配線間が複数箇所ある場合には、それぞれの配線間にダミー配線を設けるようにしてもよい。また、上記実施形態では、配線８をアルミニウム合金によって形成した場合について説明したが、これに限らず、高融点金属膜、透明導電膜、またはそれらの積層膜によって形成するようにしてもよい。さらに、上記実施形態では、接合材として異方導電性接着剤７を用いた場合について説明したが、これに限らず、例えば半田を用いる場合にも本発明は好適に適用できる。
【００１３】
【発明の効果】
以上説明したように、この発明によれば、複数の配線を印加される電圧の高い順にまたは低い順に並列しているので、相隣接する配線にそれぞれ印加される電圧に差があっても、この差を小さくすることができ、したがって配線接続部において相隣接する配線のうち電圧の高い方の配線が電食作用を受けて腐食・断線する不都合を防止することができる。
【図面の簡単な説明】
【図１】この発明の一実施形態を適用した液晶表示装置の要部の拡大平面図。
【図２】従来の液晶表示装置の一例の平面図。
【図３】（Ａ）は図２に示す液晶表示装置の一部の拡大平面図、（Ｂ）はそのＢ−Ｂ線に沿う断面図。
【符号の説明】
２  下側の基板
６  フレキシブル配線基板
８、１１  配線
２１、２２  ダミー配線
【図１】
0003711398.tif 000002
【図２】
0003711398.tif 000003
【図３】
0003711398.tif 000004